(57)【要約】【課題】 本発明は海外購買の時発生する各種クレジットカード手数料を節減するための海外決済精算システム及び方法を提供する。【解決手段】本発明による海外購買決済システム及び方法は、第１通貨国の購買者が第２通貨国の販売者サーバの商品を第１通貨で決済可能である海外購買決済精算システムを提供することで各種カード手数料が発生する段階を省略して購買者の手数料を節減できるようにする。【選択図】図２
2016170784.tif 000002
【特許請求の範囲】
【請求項１】
第１通貨使用国の第１購買者端末と、
第２通貨使用国の第２購買者端末と、
前記第２購買者端末から受信された第２購買要請に応答して前記第２購買要請による第２決済金額を前記第２通貨で表示して前記第２購買者端末に伝送し、前記第２決済金額が含まれた第２承認要請を生成する前記第１通貨使用国の第１販売者サーバと、
前記第１購買者端末から受信された第１購買要請に応答して前記第１購買要請による第１決済金額を前記第１通貨で表示して前記第１購買者端末に伝送し、前記第１決済金額が含まれた第１承認要請を生成する前記第２通貨使用国の第２販売者サーバと、
前記第２販売者サーバから前記第１購買要請による第１取引承認要請を受信し、少なくとも前記第１決済金額が含まれた第１取引情報を生成する前記第１通貨使用国の第１決済サーバと、
前記第１販売者サーバから前記第２購買要請による第２取引承認要請を受信し、少なくとも前記第２決済金額が含まれた第２取引情報を生成する前記第２通貨使用国の第２決済サーバと、
前記第１決済サーバ及び前記第２決済サーバから前記第１及び第２取引情報を受信し前記第１決済金額及び前記第２決済金額について前記第１通貨と前記第２通貨の為替レートに従って計算された前記第１決済金額及び前記第２決済金額の差額を含む差額情報を生成し、前記第２取引情報及び前記差額情報を前記第１決済サーバに伝送し前記第１取引情報及び前記差額情報を前記第２決済サーバに伝送する海外購買決済精算プラットフォームを含み、
前記第１決済サーバは前記第１取引情報を用いて前記第１購買者端末から前記第１決済金額を前記第１通貨で決済を受け、前記海外購買決済精算プラットフォームから受信した前記第２取引情報を用いて前記第１販売者サーバに前記第２決済金額を前記第１通貨で精算し、
前記第２決済サーバは前記第２取引情報を用いて前記第２購買者端末から前記第２決済金額を前記第２通貨で決済を受け、前記海外購買決済精算プラットフォームから受信した前記第１取引情報を用いて前記第２販売者サーバに前記第１決済金額を前記第２通貨で精算し、
前記第１決済サーバと前記第２決済サーバは前記海外購買決済精算プラットフォームを通じて前記差額を精算することを特徴とする海外購買決済精算システム。
【請求項２】
第１販売者サーバが第２通貨使用国の第２購買者端末から第２購買要請の受信を受け、
前記第１販売者サーバは前記第２購買要請に応答して前記第２購買要請による第２決済金額を前記第２通貨で表示して前記第２購買者端末に伝送し、前記第２決済金額が含まれた第２承認要請を生成して第２決済サーバに伝送し、
第２販売者サーバが第１通貨使用国の第１購買者端末から第１購買要請の受信を受け、
前記第２販売者サーバは前記第１購買要請に応答して前記第１購買要請による第１決済金額を前記第１通貨で表示して前記第１購買者端末に伝送し、前記第１決済金額が含まれた第１承認要請を生成して第１決済サーバに伝送し、
前記第１決済サーバは前記第１決済金額が含まれた第１承認要請を受信して少なくとも前記第１決済金額が含まれた第１取引情報を生成して海外購買決済精算プラットフォームに伝送し、
前記第２決済サーバは前記第２決済金額が含まれた第２承認要請を受信して少なくとも前記第２決済金額が含まれた第２取引情報を生成して海外決済精算プラットフォームに伝送する段階と、
前記海外購買決済精算プラットフォームは前記第１決済サーバ及び前記第２決済サーバから前記第１及び第２取引情報を受信し前記第１決済金額及び前記第２決済金額を前記第１通貨と前記第２通貨の為替レートに従って計算された前記第１決済金額及び前記第２決済金額の差額を含む差額情報を生成し、前記第２取引情報及び前記差額情報を前記第１決済サーバに伝送し前記第１取引情報及び前記差額情報を前記第２決済サーバに伝送し、
前記第１決済サーバは前記第１取引情報を用いて前記第１購買者端末から前記第１決済金額を前記第１通貨で決済を受け、前記海外購買決済精算プラットフォームから受信した前記第２取引情報を用いて前記第１販売者サーバに前記第２決済金額を前記第１通貨で精算し、
前記第２決済サーバは前記第２取引情報を用いて前記第２購買者端末から前記第２決済金額を前記第２通貨で決済を受け、前記海外購買決済精算プラットフォームから受信した第１取引情報を用いて前記第２販売者サーバに前記第１決済金額を前記第２通貨で精算し、
前記第１決済サーバと前記第２決済サーバは前記海外購買決済精算プラットフォームを通じて前記差額を精算することを含むことを特徴とする海外購買決済精算方法。
【請求項３】
第１通貨使用国の第１購買者端末と、
第２通貨使用国の第２購買者端末と、
前記第２購買者端末から受信された第２購買要請に応答して前記第２購買要請による第２決済金額を前記第２通貨で表示して前記第２購買者端末に伝送し、前記第２決済金額が含まれた第２承認要請を生成する前記第１通貨使用国の第１販売者サーバと、
前記第１購買者端末から受信された第１購買要請に応答して前記第１購買要請による第１決済金額を前記第１通貨で表示して前記第１購買者端末に伝送し、前記第１決済金額が含まれた第１承認要請を生成する前記第２通貨使用国の第２販売者サーバと、
前記第１販売者サーバから前記第２購買要請による第２取引承認要請を受信し、少なくとも前記第２決済金額が含まれた第１取引情報を生成する前記第１通貨使用国の第１決済サーバと、
前記第２販売者サーバから前記第１購買要請による第１取引承認要請を受信し、少なくとも前記第１決済金額が含まれた第１取引情報を生成する前記第２通貨使用国の第２決済サーバと、
前記第１決済サーバ及び前記第２決済サーバから前記第１及び第２取引情報を受信し前記第１決済金額及び前記第２決済金額について前記第１通貨と前記第２通貨の為替レートに従って計算された前記第１決済金額及び前記第２決済金額の差額を含む差額情報を生成し、前記第１取引情報及び前記差額情報を前記第１決済サーバに伝送し前記第２取引情報及び前記差額情報を前記第２決済サーバに伝送する海外購買決済精算プラットフォームを含み、
前記第１決済サーバは前記海外購買決済精算プラットフォームから受信した前記第１取引情報を用いて前記第１購買者端末から前記第１決済金額を前記第１通貨で決済を受け、前記第２取引情報を用いて前記第１販売者サーバに前記第２決済金額を前記第１通貨で精算し、
前記第２決済サーバは前記海外購買決済精算プラットフォームから受信した前記第２取引情報を用いて前記第２購買者端末から前記第２決済金額を前記第２通貨で決済を受け、前記第１取引情報を用いて前記第２販売者サーバに前記第１決済金額を前記第２通貨で精算し、
前記第１決済サーバと前記第２決済サーバは前記海外購買決済精算プラットフォームを通じて前記差額を精算することを特徴とする海外購買決済精算システム。
【請求項４】
第１販売者サーバが第２通貨使用国の第２購買者端末から第２購買要請の受信を受け、
前記第１販売者サーバは前記第２購買要請に応答して前記第２購買要請による第２決済金額を前記第２通貨で表示して前記第２購買者端末に伝送し、前記第２決済金額が含まれた第２承認要請を生成して第１決済サーバに伝送し、
第２販売者サーバは第１通貨使用国の第１購買者端末から第１購買要請を受信し、
前記第２販売者サーバは前記第１購買要請に応答して前記第１購買要請による第１決済金額を前記第１通貨で表示して前記第１購買者端末に伝送し、前記第１決済金額が含まれた第１承認要請を生成して第２決済サーバに伝送し、
前記第１決済サーバは前記第２決済金額が含まれた第２承認要請を受信して少なくとも前記第２決済金額が含まれた第２取引情報を生成して海外購買決済精算プラットフォームに伝送し、
前記第２決済サーバは前記第１決済金額が含まれた第１承認要請を受信して少なくとも前記第１決済金額が含まれた第１取引情報を生成して海外決済精算プラットフォームに伝送し、
前記海外購買決済精算プラットフォームは前記第１決済サーバ及び前記第２決済サーバから前記第１及び第２取引情報を受信し前記第１決済金額及び前記第２決済金額を前記第１通貨と前記第２通貨の為替レートに従って計算された前記第１決済金額及び前記第２決済金額の差額を含む差額情報を生成し、前記第１取引情報及び前記差額情報を前記第１決済サーバに伝送し前記第２取引情報及び前記差額情報を前記第２決済サーバに伝送し、
前記第１決済サーバは前記海外購買決済精算プラットフォームから受信した前記第１取引情報を用いて前記第１購買者端末から前記第１決済金額を前記第１通貨で決済を受け、前記第２取引情報を用いて前記第１販売者サーバに前記第２決済金額を前記第１通貨で精算し、
前記第２決済サーバは前記海外購買決済精算プラットフォームから受信した前記第２取引情報を用いて前記第２購買者端末から前記第２決済金額を前記第２通貨で決済を受け、第１取引情報を用いて前記第２販売者サーバに前記第１決済金額を前記第２通貨で精算し、
前記第１決済サーバと前記第２決済サーバは前記海外購買決済精算プラットフォームを通じて前記差額を精算することを含むことを特徴とする海外購買決済精算方法。
【請求項５】
第１通貨国の第１決済サーバ及び第２通貨国の第２決済サーバから第１及び第２取引情報の受信を受ける取引情報受信部と、
前記第１通貨と前記第２通貨の為替レートに従って計算された前記第１決済金額及び前記第２決済金額の差額を含む差額情報を生成する取引内訳生成部と、
前記第１取引情報及び前記差額情報を前記第決済サーバに伝送し前記第２取引情報及び前記差額情報を前記第２決済サーバに伝送する取引情報伝送部と、
を含むことを特徴とする海外購買決済精算プラットフォーム。
【請求項６】
前記第１取引情報は第１決済金額を含み、第１決済金額は前記第１通貨使用国の第１購買者端末から第１購買要請に応答して、第２販売者サーバが前記第１決済金額を第１通貨で前記第２決済サーバに承認要請することを特徴とする請求項５に記載の海外購買決済精算プラットフォーム。
【請求項７】
前記第２取引情報は第２決済金額を含み、第２決済金額は前記第２通貨使用国の第２購買者端末から第２購買要請に応答して、第１販売者サーバが前記第２決済金額を第２通貨で前記第１決済サーバに承認要請をすることを特徴とする請求項５に記載の海外購買決済精算プラットフォーム。
【請求項８】
第１通貨国の第１決済サーバ及び第２通貨国の第２決済サーバから第１及び第２取引情報の受信を受ける取引情報受信部と、
前記第１通貨と前記第２通貨の為替レートに従って計算された前記第１決済金額及び前記第２決済金額の差額を含む差額情報を生成する取引内訳生成部と、
前記第１取引情報及び前記差額情報を前記第２決済サーバに伝送し前記第２取引情報及び前記差額情報を前記第１決済サーバに伝送する取引情報伝送部と、
を含むことを特徴とする海外購買決済精算プラットフォーム。
【請求項９】
前記第１取引情報は第１決済金額を含み、前記第１決済金額は前記第１通貨使用国の第１購買者端末から第１購買要請に応答して、第２販売者サーバが前記第１決済金額を第１通貨で前記第１決済サーバに承認要請することを特徴とする請求項８に記載の海外購買決済精算プラットフォーム。
【請求項１０】
前記第２取引情報は第２決済金額を含み、第２決済金額は前記第２通貨使用国の第２購買者端末から第２購買要請に応答して、第１販売者サーバが前記第２決済金額を第２通貨で前記第２決済サーバに承認要請することを特徴とする請求項８に記載の海外購買決済精算プラットフォーム。
【請求項１１】
第１通貨使用国の第１購買者端末と、
第２通貨使用国の第２購買者端末と、
前記第２購買者端末から受信された第２購買要請に応答して前記第２購買要請による第２決済金額を前記第２通貨で表示して前記第２購買者端末に伝送する前記第１通貨使用国の第１販売者サーバと、
前記第１購買者端末から受信された第１購買要請に応答して前記第１購買要請による決済金額を前記第１通貨で表示して前記第１購買者端末に伝送する前記第２通貨使用国の第２販売者サーバと、
前記第１購買者端末が生成した、前記第１決済金額が含まれた第１承認要請の受信を受けて前記第１決済金額を前記第１通貨で前記第１購買者端末から決済を受け前記第１決済金額が含まれた第１取引情報を生成して海外購買決済精算プラットフォームに伝送する第１決済サーバと、
前記第２購買者端末が生成した、前記第２決済金額が含まれた第２承認要請の受信を受けて前記第２決済金額を前記第２通貨で前記第２購買者端末から決済を受け前記第２決済金額が含まれた第２取引情報を生成して海外購買決済精算プラットフォームに伝送する第２決済サーバと、
前記第１決済サーバ及び前記第２決済サーバから前記第１及び第２取引情報を受信し前記第１決済金額及び前記第２決済金額について前記第１通貨と前記第２通貨の為替レートによって計算された前記第１決済金額及び前記第２決済金額の差額を含む差額情報を生成し、前記第２取引情報及び前記差額情報を前記第１決済サーバに伝送し前記第１取引情報及び前記差額情報を前記第２決済サーバに伝送する海外購買決済精算プラットフォームを含み、
前記第１決済サーバは前記海外購買決済精算プラットフォームから受信した前記第２取引情報を用いて前記第１販売者サーバに前記第２決済金額を前記第１通貨で精算し、
前記第２決済サーバは前記海外購買決済精算プラットフォームから受信した前記第１取引情報を用いて前記第２販売者サーバに前記第１決済金額を前記第２通貨で精算し、
前記第１決済サーバと前記第２決済サーバは前記海外購買決済精算プラットフォームを通じて前記差額を精算することを特徴とする海外購買決済精算システム。
【請求項１２】
第１販売者サーバが第２通貨使用国の第２購買者端末から第２購買要請の受信を受け、
前記第１販売者サーバは前記第２購買要請に応答して前記第２購買要請による第２決済金額を前記第２通貨で表示して前記第２購買者端末に伝送し、
第２販売者サーバが第１通貨使用国の第１購買者端末から第１購買要請の受信を受け、
前記第２販売者サーバは前記第１購買要請に応答して前記第１購買要請による第１決済金額を前記第１通貨で表示して前記第１購買者端末に伝送し、
前記第１決済サーバは、前記第１購買者端末が生成した、前記第１決済金額が含まれた第１承認要請の受信を受けて前記第１決済金額を前記第１通貨で前記第１購買者端末から決済を受け前記第１決済金額が含まれた第１取引情報を生成して海外購買決済精算プラットフォームに伝送し、
前記第２決済サーバは、前記第２購買者端末が生成した、前記第２決済金額が含まれた第２承認要請の受信を受けて前記第２決済金額を前記第２通貨で前記第２購買者端末から決済を受け前記第２決済金額が含まれた第２取引情報を生成して海外決済精算プラットフォームに伝送し、
前記海外購買決済精算プラットフォームは、前記第１決済サーバ及び前記第２決済サーバから前記第１及び第２取引情報を受信し前記第１決済金額及び前記第２決済金額を前記第１通貨と前記第２通貨の為替レートに従って計算された前記第１決済金額及び前記第２決済金額の差額情報を生成し、前記第２取引情報及び前記差額情報を前記第１決済サーバに伝送し前記第１取引情報及び前記差額情報を前記第２決済サーバ伝送し、
前記第１決済サーバは前記海外購買決済精算プラットフォームから受信した前記第２取引情報を用いて前記第１販売者サーバに前記第２決済金額を前記第１通貨で精算し、
前記第２決済サーバは前記海外購買決済精算プラットフォームから受信した前記第１取引情報を用いて前記第２販売者サーバに前記第１決済金額を前記第２通貨で精算し、
前記第１決済サーバと前記第２決済サーバは前記海外購買決済精算プラットフォームを通じて前記差額を精算することを含むことを特徴とする海外購買決済精算方法。
【発明の詳細な説明】
【技術分野】
【０００１】
本発明は海外購買決済精算システム及び方法に関わり、より詳細には海外購買の際発生する各種クレジットカードの手数料を節減するための海外購買決済精算システム及び方法に関する。
【背景技術】
【０００２】
海外で運営される商品販売サイトで商品を購買しクレジットカードで決済する場合、ＶＩＳＡなどの国際ブランドの企業の決済網を通じて使用されたクレジットカードの発給社に決済代金が請求される。
【０００３】
この際、商品販売サイトの運営通貨とカード発給社の運営通貨が互いに異なることがある。この場合、クレジットカードの決済代金請求時点にクレジットカード発給社が適用する為替レートがクレジットカードの使用時点と相違して、カードの使用者が思っていた金額と異なる金額が請求される場合がある。また、カード発給社によっては海外利用手数料など別途の追加手数料を付加することもある。
【０００４】
また、海外で運営すされる商品販売サイトでは販売される商品の価額を商品販売サイトの運営通貨のみで提供することが一般的であって、カード使用者が不便な場合が多く、最近はこれを補完するための方法として本人の選択によって自国通貨で取り引きすることのできるＤＣＣ（Dynamic  Currency  Conversion）決済サービスが提供されている。しかし、このような方法を選択して決済を行う場合、消費者が決済する時点で認知する価額に３％〜８％程度の手数料が付加されるが、ＤＣＣサービスの詳細な決済の方式を知らない場合、消費者はこのような手数料を知らないまま手数料が追加付加された金額で決済することになる。
【０００５】
上述の内容を図１ａおよび図１ｂを参照してより詳細に説明する。
【０００６】
図１ａおよび図１ｂは従来の海外購買のクレジットカード決済方法を示すブロック構成図である。
【０００７】
図１ａを参照すると、従来の海外購買の決済方法においては、購買者が海外で運営される加盟店の商品販売サイトで商品を購買する場合、商品は現地の通貨価額で表示されて購買者に提供され、購買者が商品を購買する場合現地通貨で承認される。この際、海外承認が可能であるカードとしては代表的に、ＶＩＳＡ、ＭＡＳＴＥＲ、ＡＭＥＸなどがあり、ＶＩＳＡとＭＡＳＴＥＲの場合、承認される件数毎に１％の手数料が付加され、ＡＭＥＸの場合１．４％の手数料が付加される。これに加えて、海外のカード会社の手数料とは別途に国内のカード会社の手数料が付加され、これは承認される件数毎に０．１８〜０．３５％の水準で付加される。従って、使用者には海外購買の際最小１．１８％から最大１．７５％の手数料が付加されるようになる。また、カード会社によって承認日付と請求日付が互いに異なる日に行われる場合、日付の変動による為替レートの差異の適用を受け、時によっては手数料の他にも換差損による料金の付加が発生する可能性があり、これによって、購買者は海外カード手数料、国内カード手数料及び換差損金額に対する金額まで付加を受けるようになる。
【０００８】
最近は、海外で運営する商品販売サイトで販売される商品の価額を商品販売サイトの運営通貨で提供及び決済を提供するのではなく購買者の通貨でも決済が可能であるサービスが始められたところであり、この場合、商品サイトに接続する購買者の通貨で自動的に変更されて提供される。
【０００９】
大部分の購買者は自国の通貨で提供された商品価額をどんな疑いもなしに決済し、この際、３％〜８％までの手数料が更に付加される事実を知らないまま決済してしまう。
【００１０】
図１ｂを参照してより詳細に説明すると、購買者は自国の通貨で商品の価額の提供を受けて決済をする場合、購買者の自国通貨から販売者の通貨に両替されて海外のカード会社に請求され、海外のカード会社は再度販売者の通貨で決済された金額を購買者の自国通貨に両替して請求するようになるので、二重両替が発生し、この過程で普通３％〜８％の手数料をさらに付加された価額の提供を受けるが、上記のような詳細な過程を知らない購買者は自国の通貨で表示された金額を決済するようになる。
【００１１】
上記のように現在海外で運営される商品サイトで商品を購買すると基本手数料の他にも、購買者が知らない過度な手数料が付加されることが分かり、海外購買の回数が増えるほど各種の手数料の料金も増加するようになる。
【発明の概要】
【発明が解決しようとする課題】
【００１２】
本発明は上記した従来技術による問題点を解決するためのものである。即ち、本発明の目的は海外サイトで決済の際発生する各種クレジットカード手数料を節減する海外購買決済精算システム及び方法を提供することにある。
【課題を解決するための手段】
【００１３】
前記した目的を達成するための本発明の第１実施形態による海外購買決済精算システムは、第１通貨使用国の第１購買者端末と、第２通貨使用国の第２購買者端末と、前記第２購買者端末から受信された第２購買要請に応答して前記第２購買要請による第２決済金額を前記第２通貨で表示して前記第２購買者端末に伝送し、前記第２決済金額が含まれた第２承認要請を生成する前記第１通貨使用国の第１販売者サーバと、前記第１購買者端末から受信された第１購買要請に応答して前記第１購買要請による決済金額を前記第１通貨で表示して前記第１購買者端末に伝送し、前記第１決済金額が含まれた第１承認要請を生成する前記第２通貨使用国の第２販売者サーバと、前記第２販売者サーバから前記第１購買要請による第１取引承認要請を受信し、少なくとも前記第１決済金額が含まれた第１取引情報を生成する前記第１通貨使用国の第１決済サーバと、前記第１販売者サーバから前記第２購買要請による第２取引承認要請を受信し、少なくとも前記第２決済金額が含まれた第２取引情報を生成する前記第２通貨使用国の第２決済サーバと、前記第１決済サーバ及び前記第２決済サーバから前記第１及び第２取引情報を受信し前記第１決済金額及び前記第２決済金額について前記第１通貨と前記第２通貨の為替レートに従って計算された前記第１決済金額及び前記第２決済金額の差額を含む差額情報を生成し、前記第２取引情報及び前記差額情報を前記第１決済サーバに伝送し前記第１取引情報及び前記差額情報を前記第２決済サーバに伝送する海外購買決済精算プラットフォームを含み、前記第１決済サーバは前記第１取引情報を用いて前記第１購買者端末から前記第１決済金額を前記第１通貨で決済を受け、前記海外購買決済精算プラットフォームから受信した前記第２取引情報を用いて前記第１販売者サーバによって前記第２決済金額を前記第１通貨で精算し、前記第２決済サーバは前記第２取引情報を用いて前記第２購買者端末から前記第２決済金額を前記第２通貨で決済を受け、前記海外購買決済精算プラットフォームから受信した前記第１取引情報を用いて前記第２販売者サーバによって前記第１決済金額を前記第２通貨で精算し、前記第１決済サーバと前記第２決済サーバは前記海外購買決済精算プラットフォームを通じて前記差額の精算を受ける。
【００１４】
本発明の第１実施形態による海外購買決済精算方法は、第１販売者サーバが第２通貨使用国の第２購買者端末から第２購買要請の受信を受け、第２販売者サーバが第１通貨使用国の第１購買者端末から第１購買要請の受信を受け、前記第１販売者サーバは前記第２購買要請に応答して前記第２購買要請による第２決済金額を前記第２通貨で表示して前記第２購買者端末に伝送し、前記第２決済金額が含まれた第２承認要請を生成して第２決済サーバに伝送し、前記第２販売者サーバは前記第１購買要請に応答して前記第１購買要請による第１決済金額を前記第１通貨で表示して前記第１購買者端末に伝送し、前記第１決済金額が含まれた第１承認要請を生成して第１決済サーバに伝送し、前記第１決済サーバは前記第１決済金額が含まれた第１承認要請を受信して少なくとも前記第１決済金額が含まれた第１取引情報を生成して海外購買決済精算プラットフォームに伝送し、前記第２決済サーバは前記第２決済金額が含まれた第２承認要請を受信して少なくとも前記第２決済金額が含まれた第２取引情報を生成して海外決済精算プラットフォームに伝送し、前記海外購買決済精算プラットフォームは前記第１決済サーバ及び前記第２決済サーバから前記第１及び第２取引情報を受信し前記第１決済金額及び前記第２決済金額を前記第１通貨と前記第２通貨の為替レートに従って計算された前記第１決済金額及び前記第２決済金額の差額を含む差額情報を生成し、前記第２取引情報及び前記差額情報を前記第１決済サーバに伝送し前記第１取引情報及び前記差額情報を前記第２決済サーバに伝送し、前記第１決済サーバは前記第１取引情報を用いて前記第１購買者端末から前記第１決済金額を前記第１通貨で決済を受け、前記海外購買決済精算プラットフォームから受信した前記第２取引情報を用いて前記第１販売者サーバに前記第２決済金額を前記第１通貨で精算し、前記第２決済サーバは前記第２取引情報を用いて前記第２購買者端末から前記第２決済金額を前記第２通貨で決済を受け、前記海外購買決済精算プラットフォームから受信した第１取引情報を用いて前記第２販売者サーバに前記第１決済金額を前記第２通貨で精算し、前記第１決済サーバと前記第２決済サーバは前記海外購買決済精算プラットフォームを通じて前記差額を精算することを含む。
【００１５】
本発明の第２実施形態による海外購買決済精算システムは、第１通貨使用国の第１購買者端末と、第２通貨使用国の第２購買者端末と、前記第２購買者端末から受信された第２購買要請に応答して前記第２購買要請による第２決済金額を前記第２通貨で表示して前記第２購買者端末に伝送し、前記第２決済金額が含まれた第２承認要請を生成する前記第１通貨使用国の第１販売者サーバと、前記第１購買者端末から受信された第１購買要請に応答して前記第１購買要請による第１決済金額を前記第１通貨で表示して前記第１購買者端末に伝送し、前記第１決済金額が含まれた第１承認要請を生成する前記第２通貨使用国の第２販売者サーバと、前記第１販売者サーバから前記第２購買要請による第２承認要請を受信し、少なくとも前記第２決済金額が含まれた第２取引情報を生成する前記第１通貨使用国の第１決済サーバと、前記第２販売者サーバから前記第１購買要請による第１承認要請を受信し、少なくとも前記第１決済金額が含まれた第１取引情報を生成する前記第２通貨使用国の第２決済サーバと、前記第１決済サーバ及び前記第２決済サーバから前記第１及び第２取引情報を受信し前記第１決済金額及び前記第２決済金額を前記第１通貨と前記第２通貨の為替レートに従って計算された前記第１決済金額及び前記第２決済金額の差額を含む差額情報を生成し、前記第１取引情報及び前記差額情報を前記第１決済サーバに伝送し前記第２取引情報及び前記差額情報を前記第２決済サーバに伝送する海外購買決済精算プラットフォームを含み、前記第１決済サーバは前記海外購買決済精算プラットフォームから受信した前記第１取引情報を用いて前記第１購買者端末から前記第１決済金額を前記第１通貨で決済を受け、前記第２取引情報を用いて前記第１販売者サーバによって前記第２決済金額を前記第１通貨で精算し、前記第２決済サーバは前記海外購買決済精算プラットフォームから受信した前記第２取引情報を用いて前記第２購買者端末から前記第２決済金額を前記第２通貨で決済を受け、前記第１取引情報を用いて前記第２販売者サーバによって前記第１決済金額を前記第２通貨で精算し、前記第１決済サーバと前記第２決済サーバは前記海外購買決済精算プラットフォームを通じて前記差額の精算を受ける。
【００１６】
本発明の第２実施形態による海外購買決済精算方法は、第１販売者サーバが第２通貨使用国の第２購買者端末から第２購買要請の受信を受け、第２販売者サーバが第１通貨使用国の第１購買者端末から第１購買要請の受信を受け、前記第１販売者サーバは前記第２購買要請に応答して前記第２購買要請による第２決済金額を前記第２通貨で表示して前記第２購買者端末に伝送し、前記第２決済金額が含まれた第２承認要請を生成して第１決済サーバに伝送し、第２販売者サーバは前記第１購買要請に応答して前記第１購買要請による第１決済金額を前記第１通貨で表示して前記第１購買者端末に伝送し、前記第１決済金額が含まれた第１承認要請を生成して第２決済サーバに伝送し、前記第１決済サーバは前記第２決済金額が含まれた第２承認要請を受信して少なくとも前記第２決済金額が含まれた第２取引情報を生成して海外購買決済精算プラットフォームに伝送する段階と、前記第２決済サーバは前記第１決済金額が含まれた第１承認要請を受信して少なくとも前記第１決済金額が含まれた第１取引情報を生成して海外決済精算プラットフォームに伝送し、前記海外購買決済精算プラットフォームは前記第１決済サーバ及び前記第２決済サーバから前記第１及び第２取引情報を受信し前記第１決済金額及び前記第２決済金額を前記第１通貨と前記第２通貨の為替レートに従って計算された前記第１決済金額及び前記第２決済金額の差額を含む差額情報を生成し、前記第１取引情報及び前記差額情報を前記第１決済サーバに伝送し前記第２取引情報及び前記差額情報を前記第２決済サーバに伝送する段階と、前記第１決済サーバは前記海外購買決済精算プラットフォームから受信した前記第１取引情報を用いて前記第１購買者端末から前記第１決済金額を前記第１通貨で決済を受け、前記第２取引情報を用いて前記第１販売者サーバによって前記第２決済金額を前記第１通貨で精算し、前記第２決済サーバは前記海外購買決済精算プラットフォームから受信した前記第２取引情報を用いて前記第２購買者端末から前記第２決済金額を前記第２通貨で決済を受け、第１取引情報を用いて前記第２販売者サーバによって前記第１決済金額を前記第２通貨で精算し、前記第１決済サーバと前記第２決済サーバは前記海外購買決済精算プラットフォームを通じて前記差額について精算を受けることを含む。
【００１７】
本発明の第３実施形態による海外購買決済精算システムは、 第１通貨使用国の第１購買者端末と、第２通貨使用国の第２購買者端末と、前記第２購買者端末から受信された第２購買要請に応答して前記第２購買要請による第２決済金額を前記第２通貨で表示して前記第２購買者端末に伝送する前記第１通貨使用国の第１販売者サーバと、前記第１購買者端末から受信された第１購買要請に応答して前記第１購買要請による第１決済金額を前記第１通貨で表示して前記第１購買者端末に伝送する第２通貨使用国の第２販売者サーバと、前記第１購買者端末が生成した、前記第１決済金額が含まれた第１承認要請の受信を受けて前記第１決済金額を前記第１通貨で前記第１購買者端末から決済を受け前記第１決済金額が含まれた第１取引情報を生成して海外購買結成精算プラットフォームに伝送する第１決済サーバと、前記第２購買者端末が生成した、前記第２決済金額が含まれた第２承認要請の受信を受けて前記第２決済金額を前記第２通貨で前記第２購買者端末から決済を受け前記第２決済金額が含まれた第２取引情報を生成して海外購買決済精算プラットフォームに伝送する第２決済サーバと、前記第１決済サーバ及び前記第２決済サーバから前記第１及び第２取引情報を受信し前記第１決済金額及び前記第２決済金額を前記第１通貨と前記第２通貨の為替レートに従って計算された前記第１決済金額及び前記第２決済金額の差額情報を生成し、前記第２取引情報及び前記差額情報を前記第１決済サーバに伝送し前記第１取引情報及び前記差額情報を前記第２決済サーバに伝送する海外購買決済精算プラットフォームを含み、前記第１決済サーバは前記海外購買決済精算プラットフォームから受信した前記第２取引情報を用いて前記第１販売者サーバによって前記第２決済金額を前記第１通貨で精算し、前記第２決済サーバは前記海外購買決済精算プラットフォームから受信した前記第１取引情報を用いて前記第２販売者サーバによって前記第１決済金額を前記第２通貨で精算し、前記第１決済サーバと前記第２決済サーバは前記海外購買精算プラットフォームを通じて前記差額の精算を受ける。
【００１８】
本発明の第３実施形態による海外購買決済精算方法は、第１販売者サーバは第２通貨使用国の第２購買者端末から第２購買要請を受信し、前記第１販売者サーバは前記第２購買要請に応答して前記第２購買要請による第２決済金額を前記第２通貨で表示して前記第２購買者端末に伝送し、第２販売者サーバは第１通貨使用国の第１購買者端末から第１購買要請を受信し、前記第２販売者サーバは前記第１購買要請に応答して前記第１購買要請による第１決済金額を前記第１通貨で表示して前記第１購買者端末に伝送し、第１決済サーバは、前記第１購買者端末が生成した、前記第１決済金額が含まれた第１承認要の受信を受けて前記第１決済金額を前記第１通貨で前記第１購買者端末から決済を受け前記第１決済金額が含まれた第１取引情報を生成して海外購買決済精算プラットフォームに伝送し、前記第２決済サーバは前記第２購買者端末が生成した、前記第２決済金額が含まれた第２承認要請の受信を受けて前記第２決済金額を前記第２通貨で前記第２購買者端末から決済を受け前記第２決済金額が含まれた第２取引情報を生成して海外購買決済精算プラットフォームに伝送し、前記海外購買決済精算プラットフォームは、前記第１決済サーバ及び前記第２決済サーバから前記第１及び第２取引情報を受信し前記第１決済金額及び第２決済金額を前記第１通貨と前記第２通貨の為替レートに従って計算された前記第１決済金額及び前記第２決済金額の差額情報を生成し、前記第２取引情報及び前記差額情報を前記第１決済サーバに伝送し前記第１取引情報及び前記差額情報を前記第２決済サーバに伝送し、前記第１決済サーバは前記海外購買決済精算プラットフォームから受信した前記第２取引情報を用いて前記第１販売者サーバに前記第２決済金額を前記第１通貨で精算し、前記第２決済サーバは前記海外購買決済精算プラットフォームから受信した第１取引情報を用いて前記第２販売者サーバに前記第１決済金額を前記第２通貨で精算し、及び前記第１決済サーバと前記第２決済サーバは前記海外購買決済精算プラットフォームを通じて前記差額の精算を受けることを含む。
【００１９】
本発明の第１実施形態による海外購買決済精算プラットフォームは、第１通貨国の第１決済サーバ及び第２通貨国の第２決済サーバから第１及び第２取引情報の受信を受ける取引情報受信部と、前記第１通貨と前記第２通貨の為替レートに従って計算された前記第１決済金額及び前記第２決済金額の差額を含む差額情報を生成する取引の内訳生成部と、前記第１取引情報及び前記差額情報を前記第１決済サーバに伝送し前記第２取引情報及び前記差額情報を前記第２決済サーバに伝送する取引情報伝送部と、を含む。
【００２０】
一例として、前記第１取引情報は第１決済金額を含み、第１決済金額は前記第１通貨使用国の第１購買者端末から第１購買要請に応答して、第２販売者サーバが前記第１決済金額を第１通貨で前記第２決済サーバに承認要請したことを特徴とする。
【００２１】
一例として、前記第２取引情報は第２決済金額を含み、第２決済金額は前記第２通貨使用国の第２購買者端末から第２購買要請に応答して、第１販売者サーバが前記第２決済金額を第２通貨で前記第１決済サーバに承認要請をすることを特徴とする。
【００２２】
本発明の第２実施形態による海外購買決済精算プラットフォームは第１通貨国の第１決済サーバ及び第２通貨国の第２決済サーバから第１及び第２取引情報の受信を受ける取引情報受信部と、前記第１通貨と前記第２通貨の為替レートに従って計算された前記第１決済金額及び前記第２決済金額の差額を含む差額情報を生成する取引内訳生成部と、前記第１取引情報及び前記差額情報を前記第２決済サーバに伝送し前記第２取引情報及び前記差額情報を前記第１決済サーバに伝送する取引情報伝送部と、を含む。
【００２３】
一例として、前記第１取引情報は第１決済金額を含み、前記第１決済金額は前記第１通貨使用国の第１購買者端末から第１購買要請に応答して、第２販売者サーバが前記第１決済金額を第１通貨で前記第１決済サーバに承認要請することを特徴とする。
【００２４】
一例として、前記第２取引情報は第２決済金額を含み、第２決済金額は前記第２通貨使用国の第２購買者端末から第２購買要請に応答して、第１販売者サーバが前記第２決済金額を第２通貨で前記第２決済サーバに承認要請したことを特徴とする。
【発明の効果】
【００２５】
本発明による海外購買決済システム及び方法は、上記のような問題点を解決するために、第１通貨国の購買者が第２通貨国の販売者サーバの商品を第１通貨で決済可能である海外購買決済精算システムを提供することで各種カード手数料が発生する段階を省略して購買者の手数率を節減できるようにする。
【図面の簡単な説明】
【００２６】
【図１ａ】従来の海外購買クレジットカードの決済方法を示すブロック構成図である。
【図１ｂ】従来の海外購買クレジットカードの決済方法を示すブロック構成図である。
【図２】本発明の第１実施形態による海外購買精算システムを示すブロック構成図である。
【図３】本発明の第１実施形態による海外購買決済精算方法を示すフローチャートである。
【図４】本発明の第２実施形態による海外購買決済精算システムを示すブロック構成図である。
【図５】本発明の第２実施形態による海外購買決済精算方法を示すフローチャートである。
【図６】本発明の第３実施形態による海外購買決済精算システムを示すブロック構成図である。
【図７】本発明の第３実施形態による海外購買決済精算方法を示すフローチャートである。
【図８】本発明の一実施形態による海外購買決済精算プラットフォームを示すブロック構成図である。
【発明を実施するための形態】
【００２７】
本発明は多様な変更を加えることができ、多様な形態を有することできる。ここでは、特定の実施形態を図面に例示し本文に詳細に説明する。
【００２８】
しかし、これは本発明を特定の開示形態に限定するものではなく、本発明の思想及び技術範囲に含まれる全ての変更、均等物乃至代替物を含むこととして理解されるべきである。第１、第２などの用語は多用な構成要素を説明するのに使用されることがあるが、構成要素は用語によって限定解釈されない。用語は一つの構成要素を他の構成要素から区別する目的のみとして使用される。例えば、本発明の権利範囲を外れることなく第１構成要素を第２構成要素ということができ、同様に第２構成要素も第１構成要素ということができる。
【００２９】
本出願において使用した用語は単なる特定の実施形態を説明するために使用されたもので、本発明を限定しようとする意図ではない。単数の表現は文脈上明白に示さない限り、複数の表現を含む。本出願において、「含む」または「有する」などの用語は明細書に記載された特徴、数字、ステップ、段階、動作、構成要素、部品またはこれらを組み合わせたものが存在することを意味し、一つまたはそれ以上の他の特徴や数字、ステップ、段階、動作、構成要素、部品またはこれらを組み合わせたものの存在または付加可能性を予め排除しないこととして理解されるべきである。
【００３０】
以下、添付した図面を参照して、本発明の望ましい実施形態をより詳細に説明する。
【００３１】
図２は本発明の第１実施形態による海外購買決済精算システムを示すブロック構成図である。
【００３２】
本発明の第１実施形態による海外購買決済精算システムは第１通貨使用国の第１購買者端末１１０、第２通貨使用国の第２購買者端末１２０、第２購買者端末１２０から受信された第２購買要請に応答して第２購買要請による第２決済金額を第２通貨で表示して第２購買者端末１２０に伝送し、第２決済金額が含まれた第２承認要請を生成する第１通貨使用国の第１販売者サーバ１３０、第１購買者端末１１０から受信された第１購買要請に応答して第１購買要請による第１決済金額を第１通貨で表示して第１購買者端末１１０に伝送し、第１決済金額が含まれた第１承認要請を生成する第２通貨使用国の第２販売者サーバ１４０、第２販売者サーバ１４０から第１購買要請による第１取引承認要請を受信し、少なくとも第１決済金額が含まれた第１取引情報を生成する第１通貨使用国の第１決済サーバ１５０、第１販売者サーバ１３０から第２購買要請による第２取引承認要請を受信し、少なくとも第２決済金額が含まれた第２取引情報を生成する第２通貨使用国の第２決済サーバ１６０、及び第１決済サーバ１５０及び第２決済サーバ１６０から第１及び第２取引情報を受信し第１決済金額及び第２決済金額を第１通貨と第２通貨の為替レートに従って計算された第１決済金額及び第２決済金額の差額を含む差額情報を生成し、第２取引情報及び差額情報を第１決済サーバ１５０に伝送し第１取引情報及び差額情報を第２決済サーバ１６０に伝送する海外購買決済精算プラットフォーム１７０を含み、第１決済サーバ１５０は第１取引情報を用いて第１購買者から第１決済金額を第１通貨で決済を受け、海外購買決済精算プラットフォームから受信した第２取引情報を用いて第１販売者サーバ１３０に第２決済金額を第１通貨で精算し、第２決済サーバ１６０は第２取引情報を用いて第２購買者から第２決済金額を第２通貨で決済を受け、海外購買決済精算プラットフォームから受信した第１取引情報を用いて第２販売者サーバ１４０に第１決済金額を第２通貨で精算し、第１決済サーバ１５０と第２決済サーバ１６０は海外購買決済精算プラットフォームを通じて差額を追加で精算を受ける。
【００３３】
詳細に説明すると、第１購買者端末１１０は第２販売者サーバ１４０で販売される商品を購買要請すると、第２販売者サーバ１４０は商品に対する価額を第１購買者端末１１０の通貨で換算して提供し、換算された第１決済金額を第１決済サーバ１５０に承認要請する。また、第２購買者端末１２０は第１販売者サーバ１３０で販売される商品を購買要請すると、第１販売者サーバ１３０は商品に対する価額を第２購買者端末１２０の通貨で換算して提供し、換算された第２決済金額を第２決済サーバ１５０に承認要請する。第１決済サーバ１５０及び第２決済サーバ１６０は第１決済金額を含む第１取引情報及び第２決済金額を含む第２取引情報を海外購買決済精算プラットフォーム１７０に伝送する。
【００３４】
海外購買決済精算プラットフォーム１７０は、第２決済サーバ１４０から伝送を受けた第２決済金額及び第１決済サーバ１３０から伝送を受けた第１決済金額を第１通貨と第２通貨の為替レートに従って計算された第１決済金額及び第２決済金額の差額を含む差額情報を生成し、第２決済金額を含む第２取引情報及び差額情報を第１決済サーバ１５０に伝送し第１決済金額を含む第１取引情報及び差額情報を第２決済サーバ１６０に伝送する。
【００３５】
第１決済サーバ１５０は第１取引情報を用いて第１購買者から第１決済金額について第１通貨で決済を受け、海外購買決済精算プラットフォーム１７０から受信した第２取引情報を用いて第１販売者サーバ１３０に第２決済金額について第１通貨で精算する。
【００３６】
第２決済サーバ１６０は第２取引情報を用いて第２購買者から第２決済金額について第２通貨で決済を受け、海外購買決済精算プラットフォーム１７０から受信した第１取引情報を用いて第２販売者サーバ１４０に第１決済金額について第２通貨で精算する。
【００３７】
最後に、第１決済サーバ１５０と第２決済サーバ１６０は海外購買決済精算プラットフォームを通じて差額について追加で精算を受ける。
【００３８】
例えば、第１通貨国が韓国であり、第２通貨国がアメリカであり、１ドル（＄）が１０００ウォン（Ｗ）であるとすると、韓国の購買者（第１購買者端末）がアメリカの販売者（第２販売者サーバ）の１ドルの商品の購買を所望し、アメリカの購買者（第２購買者端末）が韓国の販売者（第１販売者サーバ）の１０００ウォンの商品の購買を所望する場合、アメリカの販売者（第２販売者サーバ）は１ドル商品の価額をウォン貨に両替（１０００ウォン）して韓国の購買者（第１購買者端末）に提供し、韓国の購買者（第１販売者サーバ）は１０００ウォンの商品価額をドルに両替（１ドル）してアメリカの購買者（第２購買者端末）に提供する。続いて、アメリカの販売者（第２販売者サーバ）は韓国のカード会社（第１決済サーバ）に１０００ウォンの決済の承認を要請し、韓国の販売者（第１販売者サーバ）はアメリカのカード会社（第２決済サーバ）に１ドルに対する決済承認要請を伝送する。韓国のカード会社及びアメリカのカード会社は１０００ウォン及び１ドルの承認要請情報を受信した後、承認要請（１０００ウォン及び１ドル）情報を海外購買決済精算プラットフォーム１７０に伝送し、海外購買精算プラットフォーム１７０は承認要請（１０００ウォン及び１ドル）情報を受信した後、１０００ウォンと１ドルに対する差額を生成して、１ドルに対応する１０００ウォンと差額情報を韓国のカード会社に伝送し、１０００ウォンに対応する１ドルと差額情報をアメリカのカード会社に伝送する。例示の場合差額は０ウォン及び０ドルである。韓国のカード会社（第１決済サーバ）は韓国の購買者（第１購買者端末）から１０００ウォンの決済を受け、アメリカのカード会社（第２決済サーバ）はアメリカ購買者（第２購買者端末）から１ドルの決済を受ける。続いて、韓国のカード会社（第１決済サーバ）は韓国の販売者（第１販売者サーバ）に１ドルに対応する１０００ウォンを精算し、アメリカのカード会社（第１決済サーバ）はアメリカの販売者（第２販売者サーバ）に１０００ウォンに対応する１ドルを精算する。例示の場合差額が０ウォン及び０ドルであるが、差額の発生する場合、最後に、韓国のカード会社（第１決済サーバ）及びアメリカのカード会社（第２決済サーバ）は海外購買精算プラットフォームを通じて差額について追加で精算を受ける。
【００３９】
図３は本発明の第１実施形態による海外購買決済精算方法を示すフローチャートである。
【００４０】
本発明の第１実施形態による海外購買決済精算方法は第１販売者サーバ１３０が第２通貨使用国の第２購買者端末１２０から第２購買要請の受信を受け（Ｓ１１０）、第２販売者サーバ１４０が第１通貨使用国の第１購買者端末１１０から第１購買要請の受信を受け（Ｓ１２０）、第１販売者サーバ１３０は第２購買要請に応答して第２購買要請による第２決済金額を第２通貨で表示して第２購買者端末１２０に伝送し、第２決済金額が含まれた第２承認要請を生成して第２決済サーバ１６０に伝送し（Ｓ１３０）、第２販売者サーバ１４０は第１購買要請に応答して第１購買要請による第１決済金額を第１通貨で表示して第１購買者端末１１０に伝送し、第１決済金額が含まれた第１承認要請を生成して第１決済サーバ１５０に伝送し（Ｓ１４０）、第２決済サーバは第２決済金額が含まれた第２承認要請を受信して少なくとも第２決済金額が含まれた第２取引情報を生成して海外購買決済精算プラットフォームに伝送し（Ｓ１５０）、第１決済サーバは第１決済金額が含まれた第１承認要請を受信して少なくとも第１決済金額が含まれた第１取引情報を生成して海外購買決済精算プラットフォームに伝送し（Ｓ１６０）、第１決済金額及び第２決済金額を第１通貨と第２通貨の為替レートに従って計算された第１決済金額及び第２決済金額の差額を含む差額情報を生成し、第２取引情報及び差額情報を第１決済サーバに伝送し第１取引情報及び差額情報を第２決済サーバに伝送し（Ｓ１７０）、第１決済サーバは第１取引情報を用いて第１購買者から第１決済金額を第１通貨で決済を受け、海外購買決済精算プラットフォームサーバから受信した第２取引情報を用いて第１販売者サーバに第２決済金額を第１通貨で精算し（Ｓ１８０）、 第２決済サーバは第２取引情報を用いて第２購買者から第２決済金額を第２通貨で決済を受け、海外購買決済精算プラットフォームサーバから受信した第１取引情報を用いて第２販売者サーバに第１決済金額を第２通貨で精算し（Ｓ１９０）、第１決済サーバ１５０と第２決済サーバ１６０は海外購買決済精算プラットフォーム１７０を通じて差額について追加で精算を受けること（Ｓ１１１０）を含む。
【００４１】
図４は本発明の第２実施形態による海外購買決済生産システムを示すブロック構成図である。
【００４２】
本発明の第２実施形態による海外購買生産システム２０は第１通貨使用国の第１購買者端末２１０、第２通貨使用国の第２購買者端末２２０、第２購買者端末２２０から受信された第２購買要請に応答して第２購買要請による第２決済金額を第２通貨で表示して第２購買者端末２２０に伝送し、第２決済金額が含まれた第２承認要請を生成する第１通貨使用国の第１販売者サーバ２３０、第１購買者端末２１０から受信された第１購買要請に応答して第１購買要請による第１決済金額を第１通貨で表示して第１購買者端末２１０に伝送し、第１決済金額が含まれた第１承認要請を生成する第２通貨使用国の第２販売者サーバ２４０、第１販売者サーバ１４０から第２購買要請による第２取引承認要請を受信し、少なくとも第２決済金額が含まれた第１取引情報を生成する第１通貨使用国の第１決済サーバ１５０、第２販売者サーバ２３０から第１購買要請による第１取引承認要請を受信し、少なくとも第１決済金額が含まれた第１取引情報を生成する第２通貨使用国の第２決済サーバ２６０、及び第１決済サーバ２５０及び第２決済サーバ２６０から第１及び第２取引情報を受信し第１決済金額及び第２決済金額を第１通貨と第２通貨の為替レートに従って計算された第１決済金額及び第２決済金額の差額を含む差額情報を生成し、第１取引情報及び差額情報を第１決済サーバ２５０に伝送し第２取引情報及び差額情報を第２決済サーバ２６０に伝送する海外購買決済プラットフォーム２７０を含み、第１決済サーバ２５０は海外購買決済精算プラットフォーム２７０から受信した第１取引情報を用いて第１購買者端末から第１決済金額を第１通貨で決済を受け、第２取引情報を用いて第１販売者サーバ２３０に第２決済金額を第１通貨で精算し、第２決済サーバ２６０は海外購買決済精算プラットフォーム２７０から受信した第２取引情報を用いて第２購買者から受信して第２決済金額を第２通貨で決済を受け、第１取引情報をだい２販売者サーバ２４０に第１決済金額を第２通貨で精算し、第１決済サーバ２５０と第２決済サーバ２６０は海外購買決済精算プラットフォーム２７０を通じて差額について追加で精算を受ける。
【００４３】
詳細に説明すると、第１購買者端末２１０が第２販売者サーバ２４０で販売される商品の購買を要請すると、第２販売者サーバ２４０は商品に対する価額を第１購買者端末の通貨で換算して提供し、換算された第１決済金額が含まれた第１承認要請を生成して第２決済サーバ２６０に第１承認要請を伝送する。また、第２購買者端末２２０が第１販売者サーバ２３０から販売される商品の購買を要請すると、第１販売者サーバ２３０は商品に対する価額を第２購買者端末２２０の通貨に換算して提供し、換算された第２決済金額が含まれた第２承認要請を第１決済サーバ２５０に第２承認要請を伝送する。以後、第１決済サーバ２５０及び第２決済サーバ２６０はそれぞれ第２決済金額が含まれた第２取引情報及び第１決済金額が含まれた第１取引情報を生成しこれのために購買決済精算プラットフォーム２７０に伝送する。
【００４４】
海外購買決済精算プラットフォーム２７０は第２決済サーバ２６０から伝送を受けた第１決済金額及び第１決済サーバ２５０から伝送を受けた第２決済金額を第１通貨と第２通貨の為替レートに従って計算された第１決済金額及び第２決済金額の差額を含む差額情報を生成し、第１決済金額が含まれた第１取引情報及び差額情報を第１決済サーバ２５０に伝送し第２決済金額が含まれた第２取引情報及び差額情報を第２決済サーバ２６０に伝送する。
【００４５】
第１決済サーバ２５０は海外購買精算プラットフォーム１７０から受信した第１取引情報を用いて第１購買者から第１決済金額について第１通貨で決済を受け、第２取引情報を用いて第１販売者サーバ２３０に第２決済金額について第１通貨で精算する。
【００４６】
第２決済サーバ２６０は海外購買精算プラットフォーム１７０から受信した第２取引情報を用いて第２購買者から第２決済金額について第２通貨で決済を受け、第１取引情報を用いて第２販売者サーバ２３０によって第１決済金額について第２通貨で精算する。
【００４７】
最後に、第１決済サーバ２５０と第２決済サーバ２６０は海外購買決済精算プラットフォーム２７０を通じて差額について追加で精算する。
【００４８】
図５は本発明の第２実施形態による海外購買決済精算方法を示すフローチャートである。
【００４９】
本発明の他の実施形態による海外購買決済精算方法は第１販売者サーバ２３０が第２通貨使用国の第２購買者端末２２０から第２購買要請の受信を受け（Ｓ２１０）、第２販売者サーバ２４０が第１通貨使用国の第１購買者端末２１０から第１購買要請の受信を受け（Ｓ２２０）、第１販売者サーバ２３０が第２購買要請に応答して第２購買要請による第２決済金額を第２通貨で表示して第２購買者端末２２０に伝送し、第２決済金額が含まれた第２承認要請を生成して第１決済サーバ２５０に伝送し（Ｓ２３０）、第２販売者サーバ２４０が第１購買要請に応答して第１購買要請による第１決済金額を第１通貨で表示して第１購買者端末に伝送し、第１決済金額が含まれた第１承認要請を生成して第２決済サーバ２６０に伝送し（Ｓ２４０）、第１決済サーバ２５０は第２決済金額が含まれた第２承認要請を受信して少なくとも第２決済金額が含まれた第２取引情報を生成して海外購買決済精算プラットフォーム２７０に伝送する段階（Ｓ２５０）、第２決済サーバ２６０は第１決済金額が含まれた第１承認要請を受信して少なくとも第１決済金額が含まれた第１取引情報を生成して海外購買決済精算プラットフォーム２７０に伝送し（Ｓ２６０）、海外購買決済精算プラットフォーム２７０は第１決済サーバ２５０及び第２決済サーバ２６０から第１及び第２取引情報を受信し第１決済金額及び第２決済金額を第１通貨と第２通貨の為替レートに従って計算された第１決済金額及び第２決済金額の差額を含む差額情報を生成し、第１取引情報及び差額情報を第１決済サーバ２５０に伝送し第２取引情報及び差額情報を第２決済サーバ２６０に伝送し（Ｓ２７０）、第１決済サーバ２５０は海外購買決済精算プラットフォームサーバ２７０から受信した第１取引情報を用いて第１購買者から第１決済金額を第１通貨で決済を受け、第２取引情報を用いて第１販売者サーバ２３０に第２決済金額を第１通貨で精算し（Ｓ２８０）、第２決済サーバ２６０は海外購買決済精算プラットフォームサーバ２７０から受信した第２取引情報を用いて第２購買者から第２決済金額を第２通貨で決済を受け、第１取引情報を用いて第２販売者サーバ２４０に１決済金額を第２通貨で精算し（Ｓ２９０）、及び第１決済サーバ２５０と第２決済サーバ２６０は海外購買決済精算プラットフォーム２７０を通じて差額を追加で精算を受けること（Ｓ２１００）を含む。
【００５０】
図６は本発明の第３実施形態による海外購買決済精算システムを示すブロック構成図である。
【００５１】
本発明の第３実施形態による海外購買決済精算システムは第１通貨使用国の第１購買者端末３１０、第２通貨使用国の第２購買者端末３２０、第２購買者端末３２０から受信された第２購買要請に応答して第２購買要請による第２決済金額を第２通貨で表示して第２購買者端末３２０に伝送する第１通貨使用国の第１販売者サーバ３３０、第１購買者端末３１０から受信された第１購買要請に応答して第１購買要請による第１決済金額を第１通貨で表示して第１購買者端末３１０に伝送する第２販売者サーバ２４０、第１購買者端末３１０が生成した、第１決済金額が含まれた第１承認要請の受信を受け第１決済金額を第１使用者端末から第１通貨で決済を受ける第１決済サーバ３５０、第２購買者端末が生成した、第２決済金額が含まれた第２承認要請の受信を受け第２決済金額を第２使用者端末から第２通貨で決済を受ける第２決済サーバ３６０、及び第１決済サーバ３５０及び第２決済サーバ３６０から第１及び第２取引情報を受信し第１決済金額及び第２決済金額を第１通貨と第２通貨の為替レートに従って計算された第１決済金額及び第２決済金額の差額情報を生成し、第２決済金額が含まれた第２取引情報及び差額情報を第１決済サーバ３５０に伝送し第１決済金額が含まれた第１取引情報及び差額情報を第２決済サーバ３６０に伝送する海外購買決済精算プラットフォーム３７０を含み、第１決済サーバ３５０は海外精算決済プラットフォーム３７０から受信した第２取引情報を用いて第１販売者サーバ３３０によって第２決済金額を第１通貨で精算し、第２決済サーバ３６０は海外購買精算プラットフォーム３７０から受信した第１取引情報を用いて第２販売者サーバ３４０によって第１決済金額を第２通貨で精算し、第１決済サーバ３５０と第２決済サーバ３６０は海外購買決済精算プラットフォーム３７０を通じて差額について追加で精算を受ける。
【００５２】
詳細に説明すると、第１購買者端末３１０が第２販売者サーバ３４０で販売される商品を購買要請すると、第２販売者サーバ３４０は商品に対する価額を第１購買者端末３１０の通貨に換算して提供する。また、第２購買者端末３２０が第１販売者サーバ３３０販売される商品を購買要請すると、第１販売者サーバ３３０は商品に対する価額を第２購買者端末３２０の通貨に換算して提供する。
【００５３】
第１購買者端末３１０は第２販売者サーバ３４０から伝送を受けた第１決済金額を用いて第１承認要請を生成して第１決済サーバ３５０に伝送し、第２購買者端末３２０は第１販売者サーバから伝送を受けた第２決済金額を用いて第２承認要請を生成して第２決済サーバ３６０に伝送する。
【００５４】
第１決済サーバ３５０は第１承認要請の受信を受けた第１決済金額を第１通貨で第１使用者端末３１０から決済を受け、第１決済金額を含む第１取引情報を生成して海外購買決済精算プラットフォーム３７０に伝送し、第２決済サーバ３５０は第２承認要請の受信を受けた第２決済金額を第２通貨で第２使用者端末３２０から決済を受け、第２決済金額を含む第２取引情報を生成して海外購買決済精算プラットフォーム３７０に伝送する。
【００５５】
海外購買決済精算プラットフォーム３７０は第１決済サーバ３５０から伝送を受けた第１取引情報及び第２決済サーバ３６０から伝送を受けた第２取引情報を受信した後、第１決済金額及び第２決済金額を第１通貨と第２通貨の為替レートに従って計算された第１決済金額及び第２決済金額の差額情報を生成し、第２決済金額が含まれた第２取引金額及び差額情報を第１決済サーバ３５０に伝送し第１決済金額が含まれた第１取引金額及び差額情報を第２決済サーバ３６０に伝送する。第１決済サーバ３５０は海外購買決済精算プラットフォーム３７０から受信した第２取引情報を用いて第１販売者サーバ３３０によって第２決済金額を第１通貨で精算する。また、第２決済サーバ３６０は海外購買決済精算プラットフォーム３７０から受信した第１取引情報を用いて第２販売者サーバ３４０によって第１決済金額を第２通貨で精算する。
【００５６】
最後に、第１決済サーバ３５０と第２決済サーバ３６０は海外購買決済精算プラットフォーム３７０を通じて差額について追加で精算を受ける。
【００５７】
図７は本発明の第３実施形態による海外購買決済精算方法を示すフローチャートである。
【００５８】
本発明の第３実施形態による海外購買決済精算方法は第１販売者サーバ３３０が第２通貨使用国の第２購買者端末３２０から第２購買要請の受信を受け（Ｓ３１０）、第２販売者サーバ３４０が第１通貨使用国の第１購買者端末３１０から第１購買要請の受信を受け（Ｓ３２０）、第１販売者サーバ３３０は第２購買要請に応答して第２購買要請による第２決済金額を第２通貨で表示して第２購買者端末３２０に伝送し（Ｓ３３０）、第２販売者された３４０は第１購買要請に応答して第１購買要請による第１決済金額を第１通貨で表示して第１購買者端末に伝送し（Ｓ３４０）、第２決済サーバ３６０は第２購買者端末３２０が生成した、第２決済金額が含まれた第２承認要請の受信を受けて第２決済金額を第２通貨で第２購買者端末３２０から決済を受け第２決済金額が含まれた第２取引情報を生成して海外購買決済精算プラットフォーム３７０に伝送し（Ｓ３５０）、第１決済サーバ３５０は、第１購買者端末３１０が生成した、第１決済金額が含まれた第１承認要請の受信を受けて第１決済金額を第１通貨で第１購買者端末３１０から決済を受けて第１決済金額を第１通貨で第１購買者端末３１０から決済を受け第１決済金額が含まれた第１取引情報を生成して海外購買決済精算プラットフォーム３７０に伝送し（Ｓ３６０）、海外購買決済精算プラットフォーム３７０は第１決済サーバ３５０及び第２決済サーバ３６０から第１及び第２取引情報を受信し第１決済金額及び第２決済金額を第１通貨と第２通貨の為替レートに従って計算された第１決済金額及び第２決済金額の差額情報を生成し、第２取引情報及び差額情報を第１決済サーバ３５０に伝送し第１取引情報及び差額情報を第２決済サーバ３６０に伝送し（Ｓ３７０）、第１決済サーバ３５０は海外購買決済精算プラットフォーム３７０から受信した第２取引情報を用いて第１販売者サーバ３３０に第２決済金額を第１通貨で精算し（Ｓ３８０）、第２決済サーバ３６０は海外購買決済精算プラットフォーム３７０から受信した第１取引情報を用いて第２販売者サーバ３６０に第１決済金額を第２通貨で精算し（Ｓ３９０）、及び第１決済サーバ３５０と前期第２決済サーバ３６０は海外購買決済精算プラットフォーム３７０を通じて差額を追加で精算を受けることを含む。
【００５９】
上記の例示は韓国の購買者一人とアメリカの購買者一人がそれぞれ一つの商品を購買しようとする場合を例示したものであるが、海外購買決済精算システムは複数の購買者、複数の販売者で構成されてもよく、例示の場合、韓国の購買者（第１購買者端末）とアメリカの購買者（第２購買者端末）の購買要請がリアルタイムに精算される場合であるが、これとは異なり、一日、一週間、または一ヶ月単位で精算されてもよい。
【００６０】
図８は本発明の一実施形態による海外購買決済精算プラットフォームを示すブロック構成図である。
【００６１】
本発明の一実施形態による海外購買決済精算プラットフォーム４０は第１通貨国の第１決済サーバ及び第２通貨国の第２決済サーバから第１及び第２取引情報の受信を受ける取引情報受信部４１０、第１通貨と前期第２通貨の為替レートに従って計算された第１決済金額及び第２決済金額の差額を含む差額情報を生成する取引内訳生成部４２０、及び第１取引情報及び差額情報を第１決済サーバまたは第２決済サーバに伝送し第２取引情報及び差額情報を第２決済サーバまたは第２決済サーバに伝送する取引情報伝送部４３０を含む。
【００６２】
一例として、第１取引情報は第１決済金額を含み、第１決済金額は第１通貨使用国の第１購買者端末から第１購買要請に応答して第２販売者サーバが第１取引金額を第１通貨で第１決済サーバに承認要請したのであり、第２取引情報は第２決済金額を含み、第２決済金額は第２通貨使用国の第２購買者端末から第２購買要請に応答して第１販売者サーバが第２取引金額を第２通貨で第２決済サーバに承認要請したのである。
【００６３】
これとは異なり、第１取引情報は第１決済金額を含み、第１決済金額は第１通貨使用国の第１購買者端末から第１購買要請に応答して第２販売者サーバが第１取引金額を第１通貨で第２決済サーバに承認要請したのであり、第２取引情報は第２決済金額を含み、第２決済金額は第２通貨使用国の第２購買者端末から第２購買要請に応答して第１販売者サーバが第２取引金額を第２通貨で第１決済サーバに承認要請したのである。
【００６４】
上記のような海外購買決済精算システムを用いると、第１通貨国の購買者は第２通貨国の販売者サーバの商品を第１通貨で決済可能である海外購買決済精算システムが提供できるので、各種のカードの手数料が発生する段階を省略して購買者の手数料を節減するようにする。
【００６５】
換言すると、購買者は両替及び海外カード手数料なしに購買者の自国の通貨で海外商品の購買が可能であり、それを通じて各種のカード手数料を節減することができる。
【００６６】
以上、本発明の実施形態によって詳細に説明したが、本発明はこれに限定されず、本発明が属する技術分野において通常の知識を有する者であれば、本発明の思想と精神を離れることなく、本発明を修正または変更できる。
【符号の説明】
【００６７】
１１０、２１０：エンコーディング部
１２０、２２０：デコーディング部
１１０、２１０、３１０：第１購買者端末
１２０、２２０、３２０：第２購買者端末
１３０、２３０、３３０：第１販売者サーバ
１４０、２４０、３４０：第２販売者サーバ
１５０、２５０、３５０：第１決済サーバ
１６０、２６０、３６０：第２決済サーバ
１７０、２７０、３７０：海外購買決済精算プラットフォーム
４１０：取引情報受信部
４２０：取引内訳生成部
４３０：取引内訳伝送部
【図１ａ】
2016170784.tif 000003
【図１ｂ】
2016170784.tif 000004
【図２】
2016170784.tif 000005
【図３】
2016170784.tif 000006
【図４】
2016170784.tif 000007
【図５】
2016170784.tif 000008
【図６】
2016170784.tif 000009
【図７】
2016170784.tif 000010
【図８】
2016170784.tif 000011